(57)【要約】  防犯管理装置（１００）は、複数の生活シーンのうち１以上の生活シーンと当該生活シーンに対応して住宅（２０）の住人が利用する防犯サービスとを対応付けた防犯設定情報を記憶する記憶部（１２０）と、住宅（２０）における消費電力の測定結果を取得する取得部（１１０）と、取得部（１１０）により取得された測定結果に基づいて、複数の生活シーンのうち住宅（２０）における住人の状況が該当する生活シーンを推定する推定部（１３０）と、防犯設定情報により防犯サービスと対応付けられている生活シーンが、推定部（１３０）により推定された場合に、当該推定された生活シーンと対応する防犯サービスが実行されるように防犯制御装置（３００）へ制御信号を出力する出力部（１６０）とを備える。
2016051686.tif 000002
【特許請求の範囲】
【請求項１】
複数の生活シーンのうち１以上の生活シーンと当該生活シーンに対応して住宅の住人が利用する防犯サービスとを対応付けた防犯設定情報を記憶する記憶部と、
前記住宅における消費電力の測定結果を取得する取得部と、
前記取得部により取得された測定結果に基づいて、前記複数の生活シーンのうち前記住宅における住人の状況が該当する生活シーンを推定する推定部と、
前記防犯設定情報により防犯サービスと対応付けられている生活シーンが、前記推定部により推定された場合に、当該推定された生活シーンと対応する防犯サービスが実行されるように外部装置へ制御信号を出力する出力部とを備える
防犯管理装置。
【請求項２】
前記防犯管理装置は更に、
前記複数の生活シーンのうち１以上の生活シーン各々に対応する防犯サービスを示す選択肢情報を表示装置に表示させる表示制御部と、
前記表示制御部が前記選択肢情報を表示した後に操作を受け付けて、当該操作に応じて前記防犯設定情報を前記記憶部に格納する設定部とを備える
請求項１記載の防犯管理装置。
【請求項３】
前記記憶部は、更に前記複数の生活シーン各々について当該生活シーンに対応する防犯サービスを示す防犯サービス情報を記憶し、
前記表示制御部は、前記記憶部に記憶された防犯サービス情報に基づいて、前記複数の生活シーンのうち１以上の生活シーンに対応する防犯サービスを選定して、選定した防犯サービスを示す選択肢情報を表示する
請求項２記載の防犯管理装置。
【請求項４】
前記記憶部が記憶する前記防犯サービス情報は、防犯サービス毎に当該防犯サービスの利用価格を示す価格情報を含み、
前記表示制御部は、防犯サービスを示す前記選択肢情報に当該防犯サービスに対応する価格情報を含めて表示装置に表示させる
請求項３記載の防犯管理装置。
【請求項５】
前記複数の生活シーンは、前記取得部により取得された測定結果に基づいて前記住宅の住人が睡眠中であると推定される状況が該当する生活シーンを含む
請求項１〜４のいずれか一項に記載の防犯管理装置。
【請求項６】
前記取得部は、前記住宅の浴室の消費電力の測定結果を取得し、
前記複数の生活シーンは、前記取得部により取得された測定結果に基づいて前記住宅の住人が入浴中であると推定される状況が該当する生活シーンを含む
請求項１〜５のいずれか一項に記載の防犯管理装置。
【請求項７】
前記複数の生活シーンは、前記取得部により取得された測定結果に基づいて前記住宅の住人が外出中であると推定される状況が該当する生活シーンを含む
請求項１〜６のいずれか一項に記載の防犯管理装置。
【請求項８】
前記複数の生活シーンは、前記取得部により取得された測定結果に基づいて前記住宅の住人が１人で在宅中であると推定される状況が該当する生活シーンを含む
請求項１〜７のいずれか一項に記載の防犯管理装置。
【請求項９】
前記取得部は、前記住宅の１以上の部屋各々の消費電力の測定結果を取得し、
前記複数の生活シーンは、前記取得部により取得された測定結果に基づいて前記住宅の住人が居ると推定される部屋によって当該住人の状況が該当する１以上の生活シーンを含む
請求項１〜８のいずれか一項に記載の防犯管理装置。
【請求項１０】
前記防犯管理装置は更に、操作を受けることで当該操作に応じて、前記出力部が前記制御信号を出力することを許容する許容状態と、当該許容状態ではない禁止状態とを選択的に選定する選定部を備え、
前記出力部は、前記選定部により前記許容状態が選定されている場合に前記制御信号の出力を行い、前記選定部により前記禁止状態が選定されている場合には前記制御信号の出力を抑止する
請求項１〜９のいずれか一項に記載の防犯管理装置。
【請求項１１】
前記防犯管理装置は更に、前記推定部により推定された、前記住宅の住人の状況が該当する生活シーンが所定の生活シーンである場合に、前記許容状態と前記禁止状態との間の切り替えに関する所定メッセージを前記住宅の住人に通知する通知部を備える
請求項１０記載の防犯管理装置。
【請求項１２】
住宅における消費電力の測定結果を受信することにより取得する取得ステップと、
前記取得ステップにおいて取得された測定結果に基づいて、複数の生活シーンのうち前記住宅における住人の状況が該当する生活シーンを推定する推定ステップと、
前記複数の生活シーンのうち１以上の生活シーン各々と当該生活シーンに対応して前記住宅の住人が利用する防犯サービスとを対応付けた防犯設定情報を参照して、当該防犯設定情報により防犯サービスと対応付けられている生活シーンが、前記推定ステップにおいて推定された場合に、当該推定された生活シーンと対応する防犯サービスが実行されるように外部装置に対して制御信号を送信する送信ステップとを含む
防犯管理方法。
【請求項１３】
複数の生活シーンのうち１以上の生活シーン各々と当該生活シーンに対応して住宅の住人が利用する防犯サービスとを対応付けた防犯設定情報を記憶するコンピュータに所定処理を実行させるための制御プログラムであって、
前記所定処理は、
前記住宅における消費電力の測定結果を受信することにより取得する取得ステップと、
前記取得ステップにおいて取得された測定結果に基づいて、前記複数の生活シーンのうち前記住宅における住人の状況が該当する生活シーンを推定する推定ステップと、
前記防犯設定情報により防犯サービスと対応付けられている生活シーンが、前記推定ステップにおいて推定された場合に、当該推定された生活シーンと対応する防犯サービスが実行されるように外部装置に対して制御信号を送信する送信ステップとを含む
制御プログラム。
【請求項１４】
複数の生活シーンのうち１以上の生活シーンと当該生活シーンに対応して住宅の住人が利用する防犯サービスとを対応付けた防犯設定情報を記憶する記憶部と、
前記住宅における消費電力の測定結果を取得する取得部と、
前記取得部により取得された測定結果に基づいて、前記複数の生活シーンのうち前記住宅における住人の状況が該当する生活シーンを推定する推定部と、
前記防犯設定情報により防犯サービスと対応付けられている生活シーンが、前記推定部により推定された場合に、当該推定された生活シーンと対応する防犯サービスが実行されるように外部装置へ制御信号を出力する出力部とを備える
防犯管理システム。
【発明の詳細な説明】
【技術分野】
【０００１】
本発明は、防犯対策を管理する技術に関し、特に住宅における防犯対策を実施するための防犯管理装置、防犯管理方法及び防犯管理システム、並びに、防犯管理装置に用いられる制御プログラムに関する。
【背景技術】
【０００２】
従来、住宅における防犯対策として、侵入監視用のカメラ等を含む警備システムの導入、警備会社が提供する防犯サービスの契約等が知られている。この警備システムには、住宅の住人がセットした在宅警戒モード、外出警戒モード等といった状態に応じて動作を切り替えられる警備装置を含むものがある（例えば、特許文献１参照）。
【先行技術文献】
【特許文献】
【０００３】
【特許文献１】特開２００５−２９３０５７号公報
【発明の概要】
【発明が解決しようとする課題】
【０００４】
しかしながら、住宅の住人が従来の警備システムを導入してもモードのセットをし忘れる等により防犯対策は適切に機能しない場合もある。【０００５】
そこで、本発明は、住宅における防犯対策を住人の生活の状況に応じて適切に実施するための防犯管理装置を提供することを目的とする。また、本発明は、この防犯管理装置に関連する防犯管理方法及び制御プログラムを提供することを目的とする。また、本発明は、住宅における防犯対策を住人の生活の状況に応じて適切に実施するための防犯管理システムを提供することを目的とする。
【課題を解決するための手段】
【０００６】
上記課題を解決するために本発明の一態様に係る防犯管理装置は、複数の生活シーンのうち１以上の生活シーンと当該生活シーンに対応して住宅の住人が利用する防犯サービスとを対応付けた防犯設定情報を記憶する記憶部と、前記住宅における消費電力の測定結果を取得する取得部と、前記取得部により取得された測定結果に基づいて、前記複数の生活シーンのうち前記住宅における住人の状況が該当する生活シーンを推定する推定部と、前記防犯設定情報により防犯サービスと対応付けられている生活シーンが、前記推定部により推定された場合に、当該推定された生活シーンと対応する防犯サービスが実行されるように外部装置へ制御信号を出力する出力部とを備える。【０００７】
また、上記課題を解決するために本発明の一態様に係る防犯管理方法は、住宅における消費電力の測定結果を受信することにより取得する取得ステップと、前記取得ステップにおいて取得された測定結果に基づいて、複数の生活シーンのうち前記住宅における住人の状況が該当する生活シーンを推定する推定ステップと、前記複数の生活シーンのうち１以上の生活シーン各々と当該生活シーンに対応して前記住宅の住人が利用する防犯サービスとを対応付けた防犯設定情報を参照して、当該防犯設定情報により防犯サービスと対応付けられている生活シーンが、前記推定ステップにおいて推定された場合に、当該推定された生活シーンと対応する防犯サービスが実行されるように外部装置に対して制御信号を送信する送信ステップとを含む。【０００８】
また、上記課題を解決するために本発明の一態様に係る制御プログラムは、複数の生活シーンのうち１以上の生活シーン各々と当該生活シーンに対応して住宅の住人が利用する防犯サービスとを対応付けた防犯設定情報を記憶するコンピュータに所定処理を実行させるための制御プログラムであって、前記所定処理は、前記住宅における消費電力の測定結果を受信することにより取得する取得ステップと、前記取得ステップにおいて取得された測定結果に基づいて、前記複数の生活シーンのうち前記住宅における住人の状況が該当する生活シーンを推定する推定ステップと、前記防犯設定情報により防犯サービスと対応付けられている生活シーンが、前記推定ステップにおいて推定された場合に、当該推定された生活シーンと対応する防犯サービスが実行されるように外部装置に対して制御信号を送信する送信ステップとを含む。
上記課題を解決するために本発明の一態様に係る防犯管理システムは、複数の生活シーンのうち１以上の生活シーンと当該生活シーンに対応して住宅の住人が利用する防犯サービスとを対応付けた防犯設定情報を記憶する記憶部と、前記住宅における消費電力の測定結果を取得する取得部と、前記取得部により取得された測定結果に基づいて、前記複数の生活シーンのうち前記住宅における住人の状況が該当する生活シーンを推定する推定部と、前記防犯設定情報により防犯サービスと対応付けられている生活シーンが、前記推定部により推定された場合に、当該推定された生活シーンと対応する防犯サービスが実行されるように外部装置へ制御信号を出力する出力部とを備える。
【発明の効果】
【０００９】
本発明の防犯管理装置等は、住宅における防犯対策を住人の生活の状況に応じて適切に実施し得る。
【図面の簡単な説明】
【００１０】
【図１】図１は、実施の形態１に係る防犯管理装置に関連する装置群を示すシステム概略図である。
【図２】図２は、実施の形態１に係る防犯管理装置の機能ブロック図である。
【図３】図３は、防犯管理装置による防犯管理処理を示すフローチャートである。
【図４】図４は、住宅の消費電力の測定単位となる回路グループの説明図である。
【図５】図５は、防犯管理装置による生活シーン推定処理を示すフローチャートである。
【図６】図６は、防犯サービス情報を例示する図である。
【図７】図７は、防犯サービスの選択用の画面例を示す図である。
【図８】図８は、防犯サービスの状態の切り替えに関するメッセージを例示する図である。
【発明を実施するための形態】
【００１１】
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態１）
以下、本発明の一実施形態に係る防犯管理装置１００について説明する。
【００１３】
（構成）
図１は、実施の形態１に係る防犯管理装置１００に関連する装置群を示すシステム概略図である。
【００１４】
防犯管理装置１００は同図に示すように住宅２０に設置されており、電力測定装置２００、防犯カメラ２２０及び防犯用アクチュエータ２３０と通信可能である。また、防犯管理装置１００は、ネットワーク３１を介して外部の防犯制御装置３００と通信可能である。ネットワーク３１は、例えばインターネット等の広域ネットワークを含む。
【００１５】
この防犯管理装置１００は、防犯管理として、住宅２０における住人の生活シーン（生活状況）に応じて防犯対策を実施するための防犯管理方法を実行する機能を有する。防犯管理装置１００は、例えばスイッチ、タッチパネル等の入力手段、ディスプレイ、メモリ、通信回路及びＣＰＵを備えるコンピュータである。メモリは、プログラム及びデータを予め保持しているＲＯＭ、プログラムの実行に際してデータ等の記憶に利用するためのＲＡＭ等であり、例えば不揮発性メモリを含んでいても良い。ＣＰＵは、メモリに格納された制御プログラムを実行することによりコンピュータの各部を制御して防犯管理方法に係る所定処理（防犯管理処理）を行う。コンピュータである防犯管理装置１００は、例えば、住宅２０のエネルギー管理をするＨＥＭＳ（Home Energy Management System）において、ＨＥＭＳコントローラとして働くものであっても良い。ＨＥＭＳコントローラは、電力測定装置２００による消費電力の測定結果等を用いてエネルギー消費の抑制等のために、住宅２０における１台以上の図示しないＨＥＭＳ機器（例えば電気機器）をＨＡＮ（Home Area Network）を介して制御する機能等を有する。
【００１６】
電力測定装置２００は、住宅２０の分電盤に設置され、電力系統から供給される電力を住宅２０の各部屋、各部に分岐させる分岐回路毎に電流量を監視する電流センサを用いて消費電力を測定して、測定時刻と対応付けた一定期間分の測定結果を出力する装置である。
【００１７】
防犯カメラ２２０は、住宅２０の内部又は周辺に設置された侵入監視用の防犯機器であり、例えばカメラ（イメージセンサ）により逐次撮影した画像を録画する機能、逐次撮影した画像を送信する機能等を有する。なお、防犯カメラ２２０は、複数個所に設置されたカメラ群であっても良い。
【００１８】
防犯用アクチュエータ２３０は、住宅２０の内部又は周辺に設置された防犯機器であり、例えば侵入者を威嚇するためのブザー、サイレン等を発報する機能等を有する。
【００１９】
防犯制御装置３００は、例えば警備会社等に設置され、タッチパネル等の入力手段、ディスプレイ、メモリ、ハードディスク装置等の記憶装置、通信回路及びＣＰＵを備え、警備会社等の特定の事業者が利用可能なコンピュータである。例えば、防犯制御装置３００のディスプレイに、防犯カメラ２２０から送信された画像を表示し、警備会社の者により監視が行われる。なお、警備会社では、住宅２０に限らず、他の住宅、道路等をカメラ等で監視し得る。
【００２０】
図２は、防犯管理装置１００及び防犯制御装置３００の機能ブロック図である。この機能ブロック図では、防犯管理装置１００及び防犯制御装置３００における防犯管理に関わる主な機能構成要素について示しており、防犯管理装置１００と連携する電力測定装置２００、防犯カメラ２２０及び防犯用アクチュエータ２３０を付記している。
【００２１】
防犯管理装置１００は、図２に示すように機能面では、取得部１１０、記憶部１２０、推定部１３０、表示部１４０、設定部１５０、出力部１６０、選定部１７０、通知部１８０、異常検知部１９１及び機器制御部１９２を備える。
【００２２】
取得部１１０は、制御プログラムを実行するＣＰＵ、通信回路等により実現される。取得部１１０は、電力測定装置２００が測定した住宅２０における各分岐回路に接続された電気機器の消費電力（使用された電力量）の分岐回路毎の測定結果（測定時刻を含む測定結果）を取得して、その取得した測定結果を推定部１３０に伝達する機能を有する。この電力測定装置２００による消費電力の測定結果は、住宅の各部屋（例えば、寝室、浴室等）の消費電力を示すものであり、取得部１１０は、推定部１３０に各部屋の一定期間分の消費電力の推移（経時的変化）を示す測定結果を伝達する。
【００２３】
記憶部１２０は、メモリ等の記憶領域で構成され、防犯サービス情報及び防犯設定情報を記憶する機能を有する。この防犯サービス情報は、複数の生活シーン（例えば、睡眠中、入浴中等）各々と防犯サービスとを対応付けた情報であり、防犯サービス毎に防犯サービスの利用に要する価格を示す価格情報を含む。防犯サービスは、警備会社等の特定の事業者が提供する各種のサービスであり、例えば、警戒レベル、警戒領域等が相違する各種の警備（例えば、外出中の住宅への侵入者を検知する警備、睡眠中の住宅周辺の異常を検知する警備等）を含む。この防犯サービス情報は、予め記憶部１２０に記憶されていても良いし、例えば防犯制御装置３００等の外部装置からダウンロード（受信）して記憶されても良い。また、防犯設定情報は、住宅２０の住人により設定される情報であり、１以上の生活シーンと、その生活シーンに対応して住人が利用する防犯サービスとを対応付けた情報である。なお、防犯設定情報としては、複数の生活シーンの組それぞれに対して１つの防犯サービスを対応付けても良いし、１つの生活シーン毎に１つの防犯サービスを対応付けても良い。
【００２４】
推定部１３０は、制御プログラムを実行するＣＰＵにより実現され、取得部１１０により取得された消費電力の測定結果に基づいて、複数の生活シーンのうち住宅２０の住人の状況が該当する生活シーンを推定する機能を有する。この生活シーンの推定については後に詳しく説明する。
【００２５】
表示部１４０は、制御プログラムを実行するＣＰＵ、ディスプレイ等により実現され、記憶部１２０に記憶された防犯サービス情報を参照して生活シーン各々に対応する防犯サービスを選定して、選定した防犯サービスを示す選択肢情報を表示する機能を有する。表示部１４０は、選定した防犯サービスを示す選択肢情報にその防犯サービスの価格情報を含めて、防犯管理装置１００のディスプレイに表示する。
【００２６】
設定部１５０は、制御プログラムを実行するＣＰＵ、入力手段等により実現され、表示部１４０が選択肢情報を表示した後に入力手段への操作を受け付けて、その操作に応じて防犯設定情報を設定（記憶部１２０に格納）する機能を有する。
【００２７】
出力部１６０は、制御プログラムを実行するＣＰＵ、通信回路等により実現される。この出力部１６０は、記憶部１２０の防犯設定情報により防犯サービスと対応付けられている生活シーンが推定部１３０により推定された場合に、その生活シーンと対応する防犯サービスが実行されるように防犯制御装置３００へ制御信号を出力する機能を有する。出力（送信）される制御信号は例えば実行されるべき防犯サービスの識別情報を含むことで、この制御信号を受信する防犯制御装置３００を利用する警備会社等が防犯サービスを適切に実行可能となる。また、出力部１６０は生活シーンと対応する防犯サービスが実行されるようにするための制御信号を出力後にその生活シーン以外の生活シーンが推定されるまでその制御信号の出力を継続する（例えば制御信号を繰り返し送信する）こととしても良い。出力部１６０は、選定部１７０により選定されている状態に応じてこの制御信号の出力を抑止し得る。なお、防犯制御装置３００は、防犯管理装置１００からの制御信号に応じて、防犯サービスの実行のために住宅２０における防犯機器の制御のための処理を実行する。出力部１６０は更に、異常検知部１９１が異常を検知した場合にその旨を防犯制御装置３００に送信する機能を有する。
【００２８】
選定部１７０は、制御プログラムを実行するＣＰＵ、入力手段等により実現され、入力手段への操作を受けることでその操作に応じて、出力部１６０が制御信号を出力することを許容する許容状態と、許容状態ではない禁止状態とを選択的に選定する機能を有する。
【００２９】
通知部１８０は、制御プログラムを実行するＣＰＵ、通信回路等により実現される。この通知部１８０は、推定部１３０により推定された生活シーンが、予め定められた特定の生活シーンである場合に、許容状態と禁止状態との間の切り替えに関するメッセージを住宅２０の住人に通知する機能を有する。このメッセージの通知は、例えば防犯管理装置１００のディスプレイへの表示により行われる。なお、通知部１８０はメッセージの通知を、例えば住宅２０の住人の携帯する携帯端末等に送信することで行っても良い。この場合には、住人は、携帯端末のディスプレイ等によりメッセージを視認できる。
【００３０】
異常検知部１９１は、制御プログラムを実行するＣＰＵ、通信回路等により実現される。この異常検知部１９１は、防犯カメラ２２０が逐次撮影した画像を解析して異常（例えば住宅２０の敷地内への人の侵入等）が発生していないかを監視し、異常が発生した場合に、出力部１６０を介して異常を防犯制御装置３００に伝える機能を有する。画像の解析により人を検知する技術は、周知技術であるため、ここではその説明を省略する。
【００３１】
機器制御部１９２は、制御プログラムを実行するＣＰＵ、通信回路等により実現され、防犯制御装置３００から防犯機器制御用の制御信号を受けた場合に、その制御信号に応じて防犯用アクチュエータ２３０を制御する機能を有する。この制御を受けて防犯用アクチュエータ２３０は、例えばサイレンの発報等を行う。
【００３２】
（動作）
以下、上述の構成を備える防犯管理装置１００による防犯管理処理について図３に即して説明する。
【００３３】
図３は、防犯管理装置１００による防犯管理処理を示すフローチャートである。この防犯管理処理は繰り返し実行され、例えば数分毎、数十分毎等の周期で実行される。
【００３４】
まず、防犯管理装置１００の取得部１１０は、電力測定装置２００が測定した住宅２０における分岐回路毎の消費電力の測定結果を受信することにより取得する（ステップＳ１１）。この取得部１１０に取得された、消費電力の測定結果は推定部１３０に伝達される。
【００３５】
推定部１３０は、消費電力の測定結果に基づいて生活シーンを推定する（ステップＳ１２）。
【００３６】
ここで、一旦、図３に即した説明を中断し、図４及び図５を用いて、生活シーンの推定について詳しく説明する。
【００３７】
図４は、電力測定装置２００による、住宅２０の消費電力の測定単位となる分岐回路である回路グループの説明図である。同図に示すように、住宅２０における各部屋、各部分のコンセントや備え付けの電気機器を回路Ｇ１〜回路Ｇ６の６つの回路グループに区別し、電力測定装置２００は、回路グループ毎に消費電力を測定する。
【００３８】
図５は、推定部１３０による生活シーンの推定のための生活シーン推定処理を示すフローチャートである。ここでは、生活シーンとして、１人暮らし、睡眠中、入浴中、外出中及び在宅中があるものとして説明する。なお、ここでの在宅中は、概ね睡眠中でも入浴中でも外出中でもない状況である。また、１人暮らしという状況であってかつ睡眠中、入浴中、外出中或いは在宅中という状況、つまり複数の生活シーンに該当する状況は生じ得る。なお、住人の状況が、１人で在宅中という生活シーンに該当することがあると扱っても良い。
【００３９】
推定部１３０は、図４で示した回路グループ別の現在までの一定期間分（例えば１ヶ月分）の消費電力に基づいて、生活シーンを次のように推定する。まず、推定部１３０は、所定期間分（例えば１ヶ月分）の回路Ｇ１〜Ｇ６の積算総消費電力が所定値以下か否かを判定する（ステップＳ２１）。所定値は、住人が１人暮らしをしている住宅の一般的な積算総消費電力に基づいて予め定められている。ステップＳ２１において所定値以下と判定した場合には、推定部１３０は住宅２０の住人の状況は、１人暮らしという生活シーンに該当すると推定する（ステップＳ２２）。
【００４０】
また、推定部１３０は、現在までの直近の一定期間（例えば数十分間）が夜間であってその期間の回路Ｇ１及び回路Ｇ２の両方で消費電力が待機電力以下であるか否かを判定する（ステップＳ２３）。ステップＳ２３において肯定的に判定した場合には、推定部１３０は、住宅２０の住人の状況が睡眠中という生活シーンに該当すると推定し（ステップＳ２４）、生活シーン推定処理を終える。なお、各回路グループにおける待機電力の値は、予め設定しておく。
【００４１】
ステップＳ２３において否定的に判定した場合には、推定部１３０は、現在までの直近の期間（例えば数分間）の回路Ｇ６の消費電力が待機電力よりも大きいか否かを判定する（ステップＳ２５）。ステップＳ２５において肯定的に判定した場合には、推定部１３０は、住宅２０の住人の状況が入浴中という生活シーンに該当すると推定し（ステップＳ２６）、生活シーン推定処理を終える。
【００４２】
ステップＳ２５で否定的に判定した場合に推定部１３０は、ステップＳ２７での判定を行う。即ち、推定部１３０は、前回の生活シーン推定処理で推定した生活シーンが睡眠中で、かつ、現在までの直近の期間（例えば数分間）の回路Ｇ１及び回路Ｇ２のいずれかの消費電力が待機電力よりも大きいか否かを判定する（ステップＳ２７）。ステップＳ２７において肯定的に判定した場合には、推定部１３０は、住宅２０の住人の状況が在宅中という生活シーンに該当すると推定し（ステップＳ２８）、生活シーン推定処理を終える。
【００４３】
ステップＳ２７で否定的に判定した場合に推定部１３０は、ステップＳ２９での判定を行う。即ち、推定部１３０は、前回の生活シーン推定処理で推定した生活シーンが在宅中であり、かつ、現在までの直近の期間（例えば数分間）の回路Ｇ１、回路Ｇ２及び回路Ｇ３の全てで消費電力が待機電力以下であるか否かを判定する（ステップＳ２９）。ステップＳ２９において肯定的に判定した場合には、推定部１３０は、住宅２０の住人の状況が外出中という生活シーンに該当すると推定し（ステップＳ３０）、生活シーン推定処理を終える。
【００４４】
ステップＳ２９で否定的に判定した場合に推定部１３０は、ステップＳ３１での判定を行う。即ち、推定部１３０は、前回の生活シーン推定処理で推定した生活シーンが外出中であり、かつ、現在までの直近の期間（例えば数分間）の回路Ｇ１、回路Ｇ２及び回路Ｇ３のいずれかで消費電力が待機電力よりも大きいか否かを判定する（ステップＳ３１）。ステップＳ３１において肯定的に判定した場合には、推定部１３０は、住宅２０の住人の状況が在宅中という生活シーンに該当すると推定し（ステップＳ３２）、生活シーン推定処理を終える。また、ステップＳ３１で否定的に判定した場合に推定部１３０は、生活シーンは前回のまま変化がないため、特に新たな生活シーンの推定を行わず生活シーン推定処理を終える。
【００４５】
なお、生活シーンの推定には、図５に示した以外の方法を用いても良い。例えば、住宅２０の全ての部屋の消費電力が待機電力以下となったことを検出した場合に、睡眠中という生活シーンに該当すると推定しても良い。また、現在までの一定期間分（例えば１ヶ月分）の消費電力の測定結果に基づいて、一定期間前から現在までについて１時間毎等といった各時間帯毎に生活シーンを推定（図５参照）し、推定結果から平均的な１日の時間帯毎の生活シーンの変化を算定しても良い。この算定を平日と休日とを区別して行っても良い。このように算定した時間帯毎の生活シーンの変化に基づけば現在時刻に応じて住人の現在の生活シーンを特定でき、つまり、住人の状況が該当する生活シーンの推定が可能になる。
【００４６】
以下、再び図３を用いて防犯管理装置１００による防犯管理処理の説明に戻る。
【００４７】
ステップＳ１２の後に、出力部１６０は、記憶部１２０の防犯設定情報により防犯サービスと対応付けられている生活シーンが推定部１３０により推定された場合に、その生活シーンと対応する防犯サービスを特定する（ステップＳ１３）。続いて、出力部１６０は、特定した防犯サービスが実行されるように防犯制御装置３００へ制御信号を出力（送信）する（ステップＳ１４）。詳しくは、出力部１６０による制御信号の出力は、選定部１７０が許容状態を選定している場合にのみ実行され、禁止状態を選定している場合には抑止される。この制御信号を受けることにより防犯制御装置３００は、ステップＳ１３において特定された防犯サービスを実行するために必要な処理を行うことができる。制御信号では、例えば実行されるべき防犯サービスを識別する情報等の防犯サービスを実行するために必要な情報を含むので、防犯制御装置３００により警備会社等の特定の事業者は適切に防犯サービスを実行できる。
【００４８】
次に防犯管理装置１００の異常検知部１９１が、異常の発生を検知した場合には（ステップＳ１５）、出力部１６０は、防犯制御装置３００に異常の発生を示す信号を送信する（ステップＳ１６）。
【００４９】
また、防犯管理装置１００が防犯制御装置３００から防犯機器制御用の制御信号を受信した場合には（ステップＳ１７）、機器制御部１９２は、その制御信号に応じて防犯用アクチュエータ２３０を制御する（ステップＳ１８）。
【００５０】
このように防犯管理処理により防犯管理装置１００は、防犯制御装置３００と連携して、住宅２０の住人が該当する生活シーンに対応した防犯サービスの実行を可能にする。なお、上述のステップＳ１１〜Ｓ１４における処理と、ステップＳ１５〜Ｓ１８における処理とは互いに独立して実行されることとしても良い。
【００５１】
以下、上述した防犯設定情報の設定についての一例を説明する。
【００５２】
防犯設定情報は、例えば、防犯サービス情報に基づいて生成された防犯サービスの選択用の画面に対する住人の操作によって設定される。
【００５３】
図６は、記憶部１２０に記憶される防犯サービス情報８０を例示する図である。
【００５４】
防犯サービス情報８０は、複数の生活シーン各々と防犯サービスとを対応付けた情報であり、防犯サービスの価格情報も含む。
【００５５】
同図の例では、外出中、睡眠中、１人在宅中（１人暮らしでかつ在宅中）、入浴中という各生活シーンと各防犯サービス（Ａ１〜Ａ４サービス及びＢ１〜Ｂ４サービス並びにＣオプション及びＤ１、Ｄ２オプション）との対応を示している。この例では、侵入者検知及び通知サービスのカテゴリーのＡ１〜Ａ４サービスの価格はｙ１であり、住宅周辺検知及び通知サービスのカテゴリーのＢ１〜Ｂ４サービスの価格はｙ２であり、威嚇オプションサービスであるＣオプションの価格はｙ３であり、駆け付けオプションサービスのカテゴリーのＤ１、Ｄ２オプションの価格はｙ４である。なお、生活シーンとして、１人暮らしと在宅中とを別個に区別して防犯サービスと対応付けても良い。また、１人で書斎に居る場合、１人で居間に居る場合等を区別して生活シーンとして推定部１３０で推定するようにし、住人が居る部屋を区別して防犯サービスと対応付けても良い。
【００５６】
防犯管理装置１００の表示部１４０は、防犯サービス情報８０に基づいて、例えば図７の画面９０をディスプレイに表示して住宅２０の住人による選択操作を受けることによって、その選択操作に従って防犯設定情報を設定する。
【００５７】
図７は、防犯サービスの選択用の画面例である画面９０を示す図である。画面９０は、住宅２０の住人が防犯サービスの設定用の所定操作（例えば防犯管理装置１００のディスプレイに重畳されたタッチパネルへのタッチ）を行うとディスプレイに表示される。防犯サービスの設定は１度行われれば良い。この画面９０は、選択完了ボタン９２を有し、防犯サービスの選択肢毎にチェックボックス９１を有している。住人が提供を受けたい１以上の防犯サービスのチェックボックス９１をチェック（選択）して選択完了ボタン９２を押下（タッチ）すると、防犯管理装置１００は、そのチェックに従って防犯サービス情報に基づいて防犯設定情報を生成して記憶部１２０に格納する。このように防犯設定情報は、複数の防犯サービスについての情報を含み得る。なお、防犯管理装置１００において防犯設定情報が設定された場合に、防犯管理装置１００はその防犯設定情報に示される防犯サービスを示す情報を防犯制御装置３００に送信することとしても良い。この場合には、この防犯サービスを示す情報を活用して、防犯制御装置３００を利用する警備会社等が防犯サービスに関する課金処理等を行うことも可能である。
【００５８】
なお、画面９０が、例えば防犯サービス情報８０の防犯サービスのうち、一定期間の消費電力の測定結果に基づいて推定部１３０により住人の状況が該当すると推定された１以上の生活シーンに対応する防犯サービスに絞り込んだ選択肢を表示するようにしても良い。また、防犯管理装置１００は、住人が画面９０の１以上のチェックボックス９１を選択して選択完了ボタン９２を押下した場合に、防犯サービス情報８０中の価格情報に基づいて、住人が選択した全ての防犯サービスの価格を合計して合計値を表示しても良い。
【００５９】
（具体的動作例）
以下、住宅２０の住人が設定した防犯設定情報により、外出中、入浴中という生活シーンに対応してそれぞれＡ１サービス、Ａ４サービス（図６参照）という防犯サービスが示されている場合を例として防犯管理装置１００の動作例を説明する。Ａ１サービスは、外出中の住宅への侵入者を検知すること及び異常を検出した場合に登録した携帯端末への通知することを内容とする防犯サービスである。また、Ａ４サービスは、入浴中の住宅への侵入者を検知すること、浴室以外の部屋をモニターして警戒すること及び異常を検知した場合にサイレンを発報することを内容とする防犯サービスである。
【００６０】
防犯管理装置１００の取得部１１０は、電力測定装置２００から住宅２０の分岐回路毎の消費電力の測定結果を受信して推定部１３０に伝達し（ステップＳ１１）、推定部１３０は、住宅２０の住人の生活シーンを推定する（ステップＳ１２）。ここで、住人の状況が１人暮らしという生活シーンに該当し、外出中であるという生活シーンに該当すると推定されたとして説明を続ける。
【００６１】
出力部１６０は、防犯設定情報により防犯サービスと対応付けられている生活シーンが推定部１３０により推定された場合に、その生活シーン（ここでは外出中）と対応する防犯サービス（Ａ１サービス）を特定する（ステップＳ１３）。防犯設定情報では特に１人暮らしという生活シーンとの組み合わせに対しては防犯サービスを設定していない前提であるため、ここではＡ１サービスだけが特定される。続いて、出力部１６０は、特定したＡ１サービスが実行されるように、ネットワーク３１を介して防犯制御装置３００へＡ１サービスの識別情報を含む制御信号を送信する（ステップＳ１４）。ここでは、選定部１７０が許容状態を選定しているものとする。これにより、防犯制御装置３００は、Ａ１サービスの識別情報を含む制御信号を受信する。防犯制御装置３００は、Ａ１サービスを実行するための処理を行う。防犯制御装置３００は、例えば制御信号を送信した防犯管理装置１００を設置している住宅２０に対してＡ１サービスを稼動中であることをディスプレイに表示する。なお、出力部１６０が防犯制御装置３００に送信する制御信号には防犯カメラ２２０が撮影した画像の信号を含ませても良い。この場合には、防犯制御装置３００は、例えば、防犯カメラ２２０が撮影した画像をディスプレイに表示する処理を行う。また、防犯制御装置３００は、別途、住宅２０以外の住宅或いは道路に設置された防犯カメラからの画像を逐次受信してＡ１サービスの実現のためにディスプレイ等に表示しても良い。これにより、警備会社等のＡ１サービスを提供する者が防犯制御装置３００のディスプレイから住宅２０への侵入者の検知のための監視を行うことが可能になる。
【００６２】
防犯カメラ２２０の画像解析の結果として異常検知部１９１が異常を検知（つまり侵入者を検知）した場合には（ステップＳ１５）、出力部１６０が、防犯制御装置３００に異常の発生を示す信号を送信する（ステップＳ１６）。これに対応して防犯制御装置３００が例えばディスプレイに異常の発生を示す表示を行う。これにより、警備会社等の者は画像の確認等をして、必要に応じて予め登録されていた住宅２０の住人の携帯端末に侵入者の検知の通知を行うことが可能になる。なお、異常検知部１９１が異常を検知しなくても、警備会社等の者が、いずれかの防犯カメラの画像を防犯制御装置３００のディスプレイで確認する等により、異常を検知した場合には、住人の携帯端末に侵入者の検知の通知を行うことができる。
【００６３】
また、繰り返される防犯管理処理により、その後、防犯管理装置１００の推定部１３０が、住宅２０の住人の状況が入浴中という生活シーンに該当すると推定したとする（ステップＳ１２）。この場合には、ステップＳ１３において出力部１６０は、Ａ４サービスを特定する。そして、出力部１６０は、特定したＡ４サービスが実行されるように防犯制御装置３００へＡ４サービスの識別情報を含む制御信号を送信する（ステップＳ１４）。これにより、防犯制御装置３００は、Ａ４サービスの識別情報を含む制御信号を受信する。防犯制御装置３００は、Ａ４サービスを実行するための処理を行う。例えば、住宅２０に対してＡ４サービスを稼動中であることをディスプレイに表示し、住宅２０の内外に設置された防犯カメラ２２０や他の住宅或いは道路に設置したカメラ群等からの映像をディスプレイに表示する等の処理を行う。これにより、警備会社等のＡ４サービスを提供する者が防犯制御装置３００のディスプレイから住宅２０への侵入者の検知のための監視を行うことが可能になる。また、防犯カメラ２２０が各部屋に設置されたカメラ群であるような場合には、警備会社等の者は、例えば防犯制御装置３００に表示される各カメラからの画像により、浴室以外の部屋を重点的に監視することが可能となる。例えば異常検知部１９１による異常の検知等に基づき、警備会社等の者は必要に応じて防犯制御装置３００を操作し、防犯管理装置１００を介して防犯用アクチュエータ２３０を遠隔制御（ステップＳ１７、Ｓ１８）してサイレンの発報をさせることが可能となる。
【００６４】
以上、選定部１７０が許容状態を選定していることを前提として説明したが、住宅２０の住人は、防犯管理装置１００の入力手段を操作して、許容状態と禁止状態との間で状態を切り替えることができる。
【００６５】
この状態の切り替えは、防犯サービスの実行と、防犯サービスの一時的な停止とを切り替えることに繋がる。この状態の切り替えに関して、通知部１８０は、推定部１３０により推定された生活シーンが、予め定められた特定の生活シーンである場合に、許容状態と禁止状態との間の切り替えに関するメッセージを住宅２０の住人に通知する。例えば、通知部１８０は、推定部１３０により推定される住人の状況が該当する生活シーンが、外出中から在宅中に切り替わった時点で、防犯サービスの一時停止を忘れていないかを確認するメッセージを防犯管理装置１００のディスプレイに表示しても良い。図８は、防犯サービスの状態の切り替えに関するメッセージを例示する図であり、防犯管理装置１００のディスプレイに表示された画面９５を示している。例えばこのメッセージを見て住人が一定時間内に所定操作（例えばディスプレイに重畳されたタッチパネルへのタッチ）を行えば選定部１７０が選定する状態を許容状態から禁止状態に切り替えても良い。また、通知部１８０は、推定部１３０により推定される住人の状況が該当する生活シーンが、在宅中から外出中に切り替わった時点で、防犯サービスの実行を忘れていないかを確認するメッセージを住人の携帯する携帯端末に送信しても良い。
【００６６】
（他の実施の形態等）
以上、実施の形態１により防犯管理装置１００等について説明したが、上述した実施の形態は一例にすぎず、各種の変更、付加、省略等が可能であることは言うまでもない。
【００６７】
上述した推定部１３０は、生活シーンの推定を、消費電力に係る測定結果に基づき行うこととしたが、消費電力の他に、ガス、水道等の使用状況の測定結果等を生活シーンの推定の基礎として用いても良い。また、消費電力の測定結果から生活シーンを推定する際の推定精度を向上させるために、住人による家族構成等の情報の入力値を参照することとしても良い。なお、睡眠中、外出中、在宅中等の生活シーンを推定するために、図５で示したものと異なるアルゴリズムを用いても良い。
【００６８】
また、上述した防犯制御装置３００は、防犯管理装置１００の処理を一部分担しても良い。例えば、防犯制御装置３００は、図３のステップＳ１１〜Ｓ１３における処理を行うことにより防犯サービスを特定し、その特定した防犯サービスを実行するために必要な情報をディスプレイに表示するようにしても良い。
【００６９】
また、上述した表示部１４０は、防犯サービスを示す選択肢情報を防犯管理装置１００のディスプレイに表示することとしたが、この表示に用いる表示装置は、ディスプレイの他にプロジェクタ等であっても良い。また、表示部１４０は、外部の表示装置（例えば、タブレット、テレビ受像機等のＨＥＭＳ機器、或いは、スマートフォン等）に、防犯サービスを示す選択肢情報の表示を行わせるよう制御する機能を有していても良い。即ち、表示部１４０は、直接又は間接的に表示を実現する表示制御部であっても良い。外部の表示装置は、表示部１４０（表示制御部）の制御を受けて、選択肢情報の表示を行い得る。
【００７０】
また、住宅２０の内外に、上述した防犯カメラ２２０及び防犯用アクチュエータ２３０以外の防犯機器（各種センサ等）を設置しても良く、その防犯機器と防犯管理装置１００とが通信して連携動作しても良い。
【００７１】
また、例えば、防犯管理装置１００における推定部１３０等の機能の一部を別のサーバ装置（演算処理を行うコンピュータ）が分担することとし、防犯管理装置１００が、そのサーバ装置と通信することにより、サーバ装置を利用して、その推定部１３０等の機能を実現することとしてもよい。このように、記憶部１２０、取得部１１０、推定部１３０、出力部１６０等のそれぞれに相当する機能部を複数の装置に分散させて、防犯管理装置１００に代わるシステムとして、その複数の装置を備える防犯管理システムを実現してもよい。
【００７２】
また、上述の防犯管理装置１００による処理手順（図３及び図５に示す手順等）の実行順序は、必ずしも、上述した通りの順序に制限されるものではなく、発明の要旨を逸脱しない範囲で、実行順序を入れ替えたりその一部を省略したりすることができる。また、その処理手順（図３及び図５に示す手順等）の全部又は一部は、ハードウェアにより実現されても、ソフトウェアを用いて実現されても良い。なお、ソフトウェアによる処理は、コンピュータに含まれるＣＰＵがメモリに記憶された制御用のプログラムを実行することにより実現されるものである。また、そのプログラムを記録媒体に記録して頒布や流通させても良い。例えば、頒布された制御プログラムをコンピュータにインストールして、ＣＰＵに実行させることで、コンピュータに図３及び図５に示した処理手順の全部又は一部を行わせることが可能となる。
【００７３】
また、上述した実施の形態で示した構成要素及び機能を任意に組み合わせることで実現される形態も本発明の範囲に含まれる。
【００７４】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００７５】
以下、本発明の一態様に係る防犯管理装置及びこの防犯管理装置に関連する防犯管理方法及び制御プログラム、並びに、防犯管理システムについての構成、変形態様、効果等について示す。
【００７６】
（１）本発明の一態様に係る防犯管理装置１００は、複数の生活シーンのうち１以上の生活シーンと当該生活シーンに対応して住宅２０の住人が利用する防犯サービスとを対応付けた防犯設定情報を記憶する記憶部１２０と、住宅２０における消費電力の測定結果を取得する取得部１１０と、取得部１１０により取得された測定結果に基づいて、複数の生活シーンのうち住宅２０における住人の状況が該当する生活シーンを推定する推定部１３０と、防犯設定情報により防犯サービスと対応付けられている生活シーンが、推定部１３０により推定された場合に、当該推定された生活シーンと対応する防犯サービスが実行されるように外部装置（例えば防犯制御装置３００）へ制御信号を出力する出力部１６０とを備える防犯管理装置である。
【００７７】
この構成により、住宅２０における防犯対策を住人の生活の状況に応じて適切に実施することが可能になる。
【００７８】
（２）例えば、防犯管理装置１００は更に、複数の生活シーンのうち１以上の生活シーン各々に対応する防犯サービスを示す選択肢情報を表示装置に表示させる表示制御部（表示部１４０）と、表示制御部（表示部１４０）が選択肢情報を表示した後に操作を受け付けて、当該操作に応じて防犯設定情報を記憶部１２０に格納する設定部１５０とを備えることとしても良い。
【００７９】
これにより、住宅２０の住人は、選択肢に応じて生活シーンに対応した防犯サービスの設定が可能になる。
【００８０】
（３）例えば、記憶部１２０は、更に複数の生活シーン各々について当該生活シーンに対応する防犯サービスを示す防犯サービス情報を記憶し、表示制御部（表示部１４０）は記憶部１２０に記憶された防犯サービス情報に基づいて、複数の生活シーンのうち１以上の生活シーンに対応する防犯サービスを選定して、選定した防犯サービスを示す選択肢情報を表示装置に表示させることとしても良い。
【００８１】
これにより、住宅２０の住人は、選定された選択肢に応じて生活シーンに対応した防犯サービスの設定が可能になる。
【００８２】
（４）例えば、記憶部１２０が記憶する防犯サービス情報は、防犯サービス毎に当該防犯サービスの利用に要する価格（利用価格）を示す価格情報を含み、表示制御部（表示部１４０）は、防犯サービスを示す選択肢情報に当該防犯サービスに対応する価格情報を含めて表示装置に表示させることとしても良い。
【００８３】
これにより、住宅２０の住人は、価格を参考にして利用する防犯サービスを選択できるようになる。
【００８４】
（５）例えば、複数の生活シーンは、取得部１１０により取得された測定結果に基づいて住宅２０の住人が睡眠中であると推定される状況が該当する生活シーンを含むこととしても良い。
【００８５】
これにより、住宅２０の住人が睡眠中の場合に対応した防犯サービスの実施が可能になる。
【００８６】
（６）例えば、取得部１１０は、住宅２０の浴室の消費電力の測定結果を取得し、複数の生活シーンは、取得部１１０により取得された測定結果に基づいて住宅２０の住人が入浴中であると推定される状況が該当する生活シーンを含むこととしても良い。
【００８７】
これにより、住宅２０の住人が入浴中の場合に対応した防犯サービスの実施が可能になる。
【００８８】
（７）例えば、複数の生活シーンは、取得部１１０により取得された測定結果に基づいて住宅２０の住人が外出中であると推定される状況が該当する生活シーンを含むこととしても良い。
【００８９】
これにより、住宅２０の住人が外出中の場合に対応した防犯サービスの実施が可能になる。
【００９０】
（８）例えば、複数の生活シーンは、取得部１１０により取得された測定結果に基づいて住宅２０の住人が１人で在宅中であると推定される状況が該当する生活シーンを含むこととしても良い。
【００９１】
これにより、住宅２０の住人が１人で在宅中の場合に対応した防犯サービスの実施が可能になる。
【００９２】
（９）例えば、取得部１１０は、住宅２０の１以上の部屋各々の消費電力の測定結果を取得し、複数の生活シーンは、取得部１１０により取得された測定結果に基づいて住宅２０の住人が居ると推定される部屋によって当該住人の状況が該当する１以上の生活シーンを含むこととしても良い。
【００９３】
これにより、住宅２０の住人がある部屋に居る場合に対応した防犯サービスの実施が可能になる。
【００９４】
（１０）例えば、防犯管理装置１００は更に、操作を受けることで当該操作に応じて、出力部１６０が制御信号を出力することを許容する許容状態と、当該許容状態ではない禁止状態とを選択的に選定する選定部１７０を備え、出力部１６０は、選定部１７０により許容状態が選定されている場合に制御信号の出力を行い、選定部１７０により禁止状態が選定されている場合には制御信号の出力を抑止することとしても良い。
【００９５】
これにより、住宅２０の住人が手動で防犯サービスの実行を停止させることが可能になる。
【００９６】
（１１）例えば、防犯管理装置１００は更に、推定部１３０により推定された、住宅２０の住人の状況が該当する生活シーンが所定の生活シーンである場合に、許容状態と禁止状態との間の切り替えに関する所定メッセージを住宅２０の住人に通知する通知部１８０を備えることとしても良い。所定メッセージの通知方法の例としては、防犯管理装置１００のディスプレイへの表示、住人の携帯端末への送信等が挙げられる。
【００９７】
これにより、例えば、住宅２０の住人に対して、防犯サービスの実行の停止忘れを防ぐための通知等が可能になる。
【００９８】
（１２）本発明の一態様に係る防犯管理方法は、住宅２０における消費電力の測定結果を受信することにより取得する取得ステップＳ１１と、取得ステップＳ１１において取得された測定結果に基づいて、複数の生活シーンのうち住宅２０における住人の状況が該当する生活シーンを推定する推定ステップＳ１２と、複数の生活シーンのうち１以上の生活シーン各々と当該生活シーンに対応して住宅２０の住人が利用する防犯サービスとを対応付けた防犯設定情報を参照して、当該防犯設定情報により防犯サービスと対応付けられている生活シーンが、推定ステップＳ１２において推定された場合に、当該推定された生活シーンと対応する防犯サービスが実行されるように外部装置（例えば防犯制御装置３００）に対して制御信号を送信する送信ステップＳ１４とを含む防犯管理方法である。
【００９９】
これにより、住宅２０における防犯対策を住人の生活の状況に応じて適切に実施することが可能になる。
【０１００】
（１３）本発明の一態様に係る制御プログラムは、複数の生活シーンのうち１以上の生活シーン各々と当該生活シーンに対応して住宅の住人が利用する防犯サービスとを対応付けた防犯設定情報を記憶するコンピュータに所定処理を実行させるための制御プログラムであって、所定処理（防犯管理処理）は、住宅における消費電力の測定結果を受信することにより取得する取得ステップＳ１１と、取得ステップＳ１１において取得された測定結果に基づいて、複数の生活シーンのうち住宅における住人の状況が該当する生活シーンを推定する推定ステップＳ１２と、防犯設定情報により防犯サービスと対応付けられている生活シーンが、推定ステップＳ１２において推定された場合に、当該推定された生活シーンと対応する防犯サービスが実行されるように外部装置（例えば防犯制御装置３００）に対して制御信号を送信する送信ステップＳ１４とを含む制御プログラムである。
【０１０１】
これにより、コンピュータを、防犯管理処理を実行する防犯管理装置１００として機能させることができるようになる。
【０１０２】
（１４）本発明の一態様に係る防犯管理システムは、複数の生活シーンのうち１以上の生活シーンと当該生活シーンに対応して住宅２０の住人が利用する防犯サービスとを対応付けた防犯設定情報を記憶する記憶部（例えば記憶部１２０）と、住宅２０における消費電力の測定結果を取得する取得部（例えば取得部１１０）と、取得部により取得された測定結果に基づいて、複数の生活シーンのうち住宅２０における住人の状況が該当する生活シーンを推定する推定部（例えば推定部１３０）と、防犯設定情報により防犯サービスと対応付けられている生活シーンが、推定部により推定された場合に、当該推定された生活シーンと対応する防犯サービスが実行されるように、自システム以外の外部装置（例えば防犯制御装置３００）へ制御信号を出力する出力部（例えば出力部１６０）とを備える防犯管理システムである。
【０１０３】
これにより、住宅２０における防犯対策を住人の生活の状況に応じて適切に実施することが可能になる。
【符号の説明】
【０１０４】
１００  防犯管理装置
１１０  取得部
１２０  記憶部
１３０  推定部
１４０  表示部（表示制御部）
１５０  設定部
１６０  出力部
１７０  選定部
１８０  通知部
３００  防犯制御装置（外部装置）
【図１】
2016051686.tif 000003
【図２】
2016051686.tif 000004
【図３】
2016051686.tif 000005
【図４】
2016051686.tif 000006
【図５】
2016051686.tif 000007
【図６】
2016051686.tif 000008
【図７】
2016051686.tif 000009
【図８】
2016051686.tif 000010
【国際調査報告】
2016051686.tif 000011
2016051686.tif 000012
2016051686.tif 000013
2016051686.tif 000014